(57)【要約】【課題】磁気券の発券停止による、利用者の利便性の低下が抑えられる磁気券発券機を提供する。【解決手段】券売機１は、乗車券発行ユニット７で乗車券を発券するとともに、乗車券に発券にかかる取引明細を明細票発行部８で発行する。乗車券発行ユニット７が使用する用紙は、一方の面に磁気シートを貼付した磁気券であり、明細票発行部８が使用する用紙は、磁気シートを貼付していない非磁気券である。また、券売機１は、明細票発行部８で用紙切れが発生したときには、乗車券発行ユニット７で明細票を発行し、乗車券の販売を行うので、利用者の利便性を低下させることがない。【選択図】図３
2011242918.tif 000002
【特許請求の範囲】
【請求項１】
券情報を磁気データで記録した磁気券を、装置本体前面に設けた磁気券発券口に発券する磁気券発行装置において、
装置本体前面に設け、装置本体に対する入力操作を受け付ける第１の操作部と、
前記第１の操作部で発券にかかる入力操作を受け付けたとき、その入力操作に応じた券情報を、前記磁気券発券口に今回発券する磁気券に磁気データで記録する磁気データ記録部と、
前記磁気券発券口に今回発券する磁気券に対して、券情報を印字する磁気券印字部と、
今回発券する磁気券に関連する券関連情報を非磁気券に印字し、装置本体前面に設けた第１の非磁気券発券口に発券する第１の非磁気券印字部と、
前記第１の非磁気券印字部が券関連情報を非磁気券に印字するときに、非磁気券が切れていれば、前記磁気券印字部に対して、券関連情報を磁気券に印字し、前記磁気券発券口に発券することを指示する制御部と、を備えた磁気券発券機。
【請求項２】
装置本体背面側に設け、装置本体のメンテナンスにかかる入力操作を受け付ける第２の操作部と、
前記第２の操作部で装置本体のメンテナンスにかかる入力操作を受け付けたとき、その入力操作に応じたメンテナンス結果を非磁気券に印字し、装置本体背面側に設けた第２の非磁気券発券口に発券する第２の非磁気券印字部と、を備えた請求項１に記載の磁気券発券機。
【請求項３】
前記第１の非磁気券印字部は、前記第１の操作部で装置本体のメンテナンスにかかる入力操作を受け付けたとき、その入力操作に応じたメンテナンス結果を非磁気券に印字し、装置本体前面に設けた前記第１の非磁気券発券口に発券する、請求項２に記載の磁気券発券機。
【請求項４】
前記制御部は、前記第１の操作部で装置本体のメンテナンスにかかる入力操作を受け付け、前記第１の非磁気券印字部が今回の入力操作に応じたメンテナンス結果を非磁気券に印字するときに、当該第１の非磁気券印字部の非磁気券が切れていれば、前記第２の非磁気券印字部に対して、今回のメンテナンス結果の印字を指示する請求項３に記載の磁気券発券機。
【請求項５】
前記制御部は、前記第１の操作部、または前記第２の操作部で装置本体のメンテナンスにかかる入力操作を受け付け、前記第２の非磁気券印字部が今回の入力操作に応じたメンテナンス結果を非磁気券に印字するときに、当該第２の非磁気券印字部の非磁気券が切れていれば、エラー処理を行う、請求項３、または４に記載の磁気券発券機。
【発明の詳細な説明】
【技術分野】
【０００１】
この発明は、一方の面に磁気シートを貼付した磁気券に対して、券情報を磁気データで記録するとともに、他方の面（磁気シートを貼付していない面）に券情報を印字して発券する磁気券発券機に関する。
【背景技術】
【０００２】
従来、駅では、鉄道利用者（以下、単に利用者と言う。）に対してキップ等の乗車券を販売する券売機を、改札口周辺の券売機コーナに設置している。券売機は、利用者の入力操作に応じた種類の乗車券を発券する。一般的な券売機は、発券した乗車券が自動改札機で使用されることを前提にしているので、一方の面に磁気シートを貼付した磁気券を乗車券として発券する。券売機は、発券する乗車券に対して、券情報（発行駅、発行時刻、有効区間等）を磁気データで磁気シートに記録する。また、券売機は、券情報を乗車券の他方の面（磁気シートを貼付していない面）に印字する。
【０００３】
また、乗車券の購入にかかる代金がクレジットカード等で精算できる券売機では、カード取引にかかる取引明細票（レシート）を印字して発行するレシートプリントを備えたものがある（例えば、特許文献１参照）。この特許文献１の装置は、乗車券を発券する発券メカ、およびレシートを発行するレシート発行部を有している。レシートは、利用者が取引内容を確認できればよいので、磁気シートを貼付していない非磁気券（感熱紙や普通紙）を使用している。
【０００４】
なお、磁気券は、非磁気券よりも高価であるので、磁気券をレシートとして使用すると運用コストが嵩む。
【先行技術文献】
【特許文献】
【０００５】
【特許文献１】特開平１１−２９６７０１号公報
【発明の概要】
【発明が解決しようとする課題】
【０００６】
しかしながら、特許文献１等に記載されている従来の券売機は、レシート発行部で用紙切れが発生すると、乗車券の販売を停止している。すなわち、乗車券が発券できる状態（磁気券については用紙切れが発生していない状態）であっても、レシート発行部の用紙切れにより、乗車券の販売を停止している。
【０００７】
このため、乗車券を購入する利用者の利便性を低下させるという問題があった。
【０００８】
この発明の目的は、磁気券の発券停止による、利用者の利便性の低下が抑えられる磁気券発券機を提供することにある。
【課題を解決するための手段】
【０００９】
この発明の磁気券発券機は、上記課題を解決し、その目的を達するために、以下のように構成している。
【００１０】
この磁気券発行装置は、券情報を磁気データで記録した磁気券を、装置本体前面に設けた磁気券発券口に発券する。
【００１１】
磁気データ記録部は、装置本体前面に設けた第１の操作部で発券にかかる入力操作を受け付けると、その入力操作に応じた券情報を、磁気券発券口に今回発券する磁気券に磁気データで記録する。また、磁気券印字部は、磁気券発券口に今回発券する磁気券に対して、券情報を印字する。磁気券は、用紙の一方の面に磁気シートを貼付したものである。
【００１２】
また、第１の非磁気券印字部は、今回発券する磁気券に関連する券関連情報を非磁気券に印字し、装置本体前面に設けた第１の非磁気券発券口に発券する。券関連情報は、例えば、今回発券する磁気券の精算にかかる取引明細にかかる情報である。また、非磁気券は、磁気シートを貼付していない感熱紙や普通紙であればよい。
【００１３】
さらに、制御部は、第１の非磁気券印字部が券関連情報を非磁気券に印字するときに、非磁気券が切れていれば、磁気券印字部に対して、券関連情報を磁気券に印字し、磁気券発券口に発券することを指示する。
【００１４】
このように、非磁気券が用紙切れで発券できない状態になっても、磁気券が用紙切れでなければ、装置本体（磁気券の発券）を停止するのではなく、券関連情報を磁気券に印字して発券する。したがって、磁気券の発券停止による、利用者の利便性の低下が抑えられる。
【００１５】
また、装置本体のメンテナンスにかかる入力操作を受け付ける第２の操作部を装置本体背面側に設けるとともに、この第２の操作部で装置本体のメンテナンスにかかる入力操作を受け付けたとき、その入力操作に応じたメンテナンス結果を非磁気券に印字し、装置本体背面側に設けた第２の非磁気券発券口に発券する第２の非磁気券印字部を設けてもよい。
【００１６】
また、第１の非磁気券印字部は、第１の操作部で装置本体のメンテナンスにかかる入力操作を受け付けたとき、その入力操作に応じたメンテナンス結果を非磁気券に印字し、装置本体前面に設けた第１の非磁気券発券口に発券する構成としてもよい。このように構成すれば、装置本体の背面側だけでなく、前面側でも、メンテナンスにかかる作業が行える。
【００１７】
また、第１の操作部で装置本体のメンテナンスにかかる入力操作を受け付け、第１の非磁気券印字部が今回の入力操作に応じたメンテナンス結果を非磁気券に印字するときに、当該第１の非磁気券印字部の非磁気券が切れていれば、制御部は、第２の非磁気券印字部に対して、今回のメンテナンス結果の印字を指示するほうが好ましい。すなわち、比較的高価な磁気券を使用せず、比較的安価な非磁気券を使用するので、運用コストを無駄に増大させることがない。
【００１８】
さらに、第１の操作部、または第２の操作部で装置本体のメンテナンスにかかる入力操作を受け付け、第２の非磁気券印字部が今回の入力操作に応じたメンテナンス結果を非磁気券に印字するときに、当該第２の非磁気券印字部の非磁気券が切れていれば、エラー処理を行えばよい。
【発明の効果】
【００１９】
この発明によれば、磁気券の発券停止による、利用者の利便性の低下が抑えられる。
【図面の簡単な説明】
【００２０】
【図１】券売機の主要部の構成を示すブロック図である。
【図２】券売機の前面概略図である。
【図３】券売機の背面概略図である。
【図４】券売機の動作を示すフローチャートである。
【図５】券売機の動作を示すフローチャートである。
【図６】券売機の動作を示すフローチャートである。
【発明を実施するための形態】
【００２１】
以下、この発明の実施形態である券売機について説明する。
【００２２】
図１は、この実施形態にかかる券売機の主要部の構成を示すブロック図である。また、図２は、この券売機の前面概略図であり、図３はこの券売機の背面概略図である。この券売機１は、駅の改札口周辺の券売機コーナに設置し、鉄道利用者（以下、単に利用者と言う。）に対してキップ等の乗車券を販売する。券売機コーナでは、壁によって券売機１の前面側と、背面側とを仕切っている。券売機１の前面側は、利用者等が通行する通路に面しており、券売機１の背面側は、係員の専用通路に面している。言い換えれば、券売機１に対して、背面側から操作できる人を制限している。また、この券売機１は、乗車券の発券にかかる取引金額の精算が現金、およびクレジットカード（以下、単にカードと言う。）で行える。
【００２３】
図１に示すように、この券売機１は、制御部２と、硬貨処理ユニット３と、紙幣処理ユニット４と、カード処理ユニット５と、前面側操作部６と、乗車券発行ユニット７と、明細票発行部８と、係員操作部９と、背面側プリンタ１０と、を備えている。制御部２は、券売機１本体各部の動作を制御する。
【００２４】
硬貨処理ユニット３は、硬貨の金種や真偽を識別する硬貨識別部を有している。券売機１本体内部には、硬貨を金種別に収納する金種別硬貨カートリッジが収納されている。また、券売機１には、投入硬貨受皿３ａ、および放出硬貨受皿３ｂが本体前面に設けられている。さらに、硬貨処理ユニット３は、投入硬貨受皿３ａ、放出硬貨受皿３ｂ、硬貨識別部、および金種別硬貨カートリッジを結ぶ硬貨搬送路に沿って硬貨を搬送する硬貨搬送部を有している。投入硬貨受皿３ａに入れられた硬貨は、硬貨搬送路に沿って硬貨識別部に搬送され、その金種や真偽が識別される。硬貨処理ユニット３は、硬貨識別部での識別結果に応じて、硬貨を金種別硬貨カートリッジに搬送する。また、硬貨処理ユニット３は、必要に応じて、金種別硬貨カートリッジに収納している硬貨を繰り出し、繰り出した硬貨を硬貨搬送路に沿って搬送し、放出硬貨受皿３ｂに放出する。
【００２５】
紙幣処理ユニット４は、紙幣の金種や真偽を識別する紙幣識別部を有している。券売機１本体内部には、紙幣を金種別に収納する金種別紙幣カートリッジが収納されている。また、券売機１には、紙幣投入口４ａ、および紙幣放出口４ｂが本体前面に設けられている。さらに、紙幣処理ユニット４は、紙幣投入口４ａ、紙幣放出口４ｂ、紙幣識別部、および金種別紙幣カートリッジを結ぶ紙幣搬送路に沿って紙幣を搬送する紙幣搬送部を有している。紙幣投入口４ａに投入された紙幣は、紙幣搬送路に沿って紙幣識別部に搬送され、その金種や真偽が識別される。紙幣処理ユニット４は、紙幣識別部での識別結果に応じて、紙幣を金種別紙幣カートリッジに搬送する。また、紙幣処理ユニット４は、必要に応じて、金種別紙幣カートリッジに収納している紙幣を繰り出し、繰り出した紙幣を紙幣搬送路に沿って搬送し、紙幣放出口４ｂに放出する。
【００２６】
カード処理ユニット５は、本体前面に設けたカード挿入口５ａに挿入されたカードを取り込み、そのカードに記録されているカードデータを読み取る。また、カード処理ユニット５は、公知のカード取引にかかる認証処理（クレジット認証処理）を行うための機能を有している。
【００２７】
前面側操作部６は、本体前面に設けた表示器６ａ、およびこの表示器６ａの表示画面に貼付したタッチパネル６ｂを有している。前面側操作部６は、表示器６ａにおける画面表示を制御するとともに、タッチパネル６ｂの押下位置を検出し、券売機１本体に対する入力操作を受け付ける。この前面側操作部６が、この発明で言う第１の操作部に相当する。
【００２８】
乗車券発行ユニット７は、本体前面に設けた乗車券発券口７ａに乗車券を放出する。乗車券は、一方の面に磁気シートを貼付した磁気券である。乗車券発行ユニット７は、ロール状に巻いた磁気券を磁気券収納部（用紙収納部）に収納している。乗車券発行ユニット７は、磁気券収納部に収納している磁気券を繰り出し、適当なサイズにカットして、乗車券発券口７ａに放出する。また、乗車券発行ユニット７は、乗車券発券口７ａに放出する乗車券に対して、券情報等を磁気データで記録する磁気データ記録部７１や、券情報等を印字する磁気券印字部７２を有している。磁気データ記録部７１は、磁気券収納部から繰り出し、乗車券発券口７ａに搬送している磁気券の磁気シートに磁気ヘッドを当接し、券情報を磁気データで磁気シートに記録する。また、磁気券印字部７２は、乗車券発券口７ａに搬送されている磁気券に券情報等を印字する印字ヘッドを有している。磁気券における、磁気券印字部７２による券情報等の印字面は、磁気シートが貼付されていない面である。
【００２９】
明細票発行部８は、本体前面に設けた明細票発行口８ａに明細票を放出する。明細票発行部８は、ロール状に巻いた用紙（感熱紙や普通紙）を用紙収納部に収納しており、カード取引にかかる取引情報等を、この用紙収納部に収納している用紙に印字し、明細票発行口８ａに放出する。この明細票発行部８が、この発明で言う第１の非磁気券印字部に相当する。
【００３０】
係員操作部９は、本体背面側に設けた表示器９ａ、およびこの表示器９ａの表示画面に貼付したタッチパネル９ｂを有している。ここでは、表示器９ａは、券売機１本体の背面扉の内側（本体内部側）に取り付けており、この背面扉を開することによって、確認できる。係員操作部９は、表示器９ａにおける画面表示を制御するとともに、タッチパネル９ｂの押下位置を検出し、券売機１本体に対する入力操作を受け付ける。この係員操作部９が、この発明で言う第２の操作部に相当する。
【００３１】
背面側プリンタ１０は、本体背面側に設けている。背面側プリンタ１０は、ロール状に巻いた用紙（感熱紙や普通紙）を用紙収納部に収納しており、運用情報や障害ログ等を、この用紙収納部に収納している用紙に印字し、放出する。この背面側プリンタ１０が、この発明で言う第２の非磁気券印字部に相当する。
【００３２】
この券売機１は、乗車券を販売する運用モード、および保守作業を行うメンテナンスモードの２つのモードで動作する。この券売機１では、モード切換操作により、運用モードと、メンテナンスモードとの切り換えが行える。モード切換操作は、例えばキースイッチによる操作であってもよいし、前面側操作部６での特定の入力操作であってもよい。
【００３３】
また、運用モードでは、前面側操作部６で乗車券の購入にかかる入力操作を受け付けるとともに、係員操作部９で保守作業にかかる入力操作を受け付ける。メンテナンスモードでは、前面側操作部６、または係員操作部９で保守作業にかかる入力操作を受け付ける。すなわち、この券売機１は、運用モードであっても、係員操作部９で保守作業にかかる操作が行える。また、メンテナンスモードに切り換えることで、前面側操作部６で保守作業にかかる操作が行える。
【００３４】
以下、この券売機１の動作について説明する。
【００３５】
まず、乗車券の販売にかかる券売機１の動作について説明する。図４は、乗車券の購入にかかる券売機の動作を示すフローチャートである。券売機１は、運用モードに設定されている。また、上述したように、券売機１は、前面側操作部６で乗車券の購入にかかる入力操作を受け付ける。
【００３６】
券売機１は、前面側操作部６で利用者による、乗車券の購入にかかる入力操作を受け付ける（ｓ１）。ｓ１では、乗車券の購入にかかる取引金額の精算に用いる、硬貨や紙幣の投入、またはカードの投入を受け付ける。投入された硬貨は、硬貨処理ユニット３で処理される。また、投入された紙幣は、紙幣処理ユニット４で処理される。また、投入されたカードは、カード処理ユニット５で処理される。また、ｓ１では、利用者が購入する乗車券の種類にかかる入力操作を前面側操作部６で受け付ける。
【００３７】
なお、券売機１は、投入された硬貨や、紙幣の合計金額以内の乗車券について、選択を受け付ける。また、券売機１は、カードが投入されたときには、カード処理ユニット５で当該カードについての認証処理を行う。カード取引にかかる認証処理等については、公知であるので、ここでは詳細な説明を省略する。
【００３８】
次に、券売機１は、明細票の発行が必要であるかどうかを判定する（ｓ２）。ｓ２では、例えば、乗車券の購入にかかる取引金額の精算にカードが使用されている場合、明細票の発行が必要であると判定する。言い換えれば、乗車券の購入にかかる取引金額が現金で精算される場合には、明細票の発行が不要であると判定する。また、前面側操作部６において、明細票の発行有無を、利用者に選択させる構成としてもよい。
【００３９】
券売機１は、ｓ２で明細票の発行が必要であると判定すると、明細票発行部８で用紙切れが発生しているかどうかを判定する（ｓ３）。券売機１は、明細票発行部８で用紙切れが発生していないと判定すると、明細票発行部８において今回の乗車券の購入にかかる取引明細を印字した明細票を発行する（ｓ４）。ｓ４では、明細票を明細票発行口８ａに放出する。利用者は、放出された明細票を受け取る。
【００４０】
また、券売機１は、ｓ３で、明細票発行部８で用紙切れが発生していると判定すると、乗車券発行ユニット７で磁気券の用紙切れが発生しているかどうかを判定する（ｓ５）。券売機１は、乗車券発行ユニット７で用紙切れが発生していないと判定すると、乗車券発行ユニット７において今回の乗車券の販売にかかる明細票を発行する（ｓ６）。すなわち、ｓ６では、今回の乗車券の購入にかかる取引明細を磁気券に印字した明細票を発行する。このとき、乗車券発行ユニット７は、磁気券印字部７２が今回の乗車券の販売にかかる明細を、磁気券の磁気シートが貼付されていない面に印字する。ｓ６では、明細票を乗車券発券口７ａに放出する。利用者は、放出された明細票を受け取る。
【００４１】
券売機１は、ｓ５で磁気券の用紙切れが発生していると判定すると、エラー処理を行う（ｓ７）。ｓ７にかかるエラー処理では、障害発生を通知するメッセージを表示器６ａに表示するとともに、障害発生を通知する警告報知を行う。これにより、利用者や、係員等に、障害の発生を認識させる。
【００４２】
券売機１は、ｓ２で明細票の発行が不要であると判定した場合、または、上述のｓ４、またはｓ６で明細票を発行すると、乗車券発行ユニット７で磁気券の用紙切れが発生しているかどうかを判定する（ｓ８）。券売機１は、磁気券の用紙切れが発生していれば、ｓ７でエラー処理を行う。一方、券売機１は、磁気券の用紙切れが発生していなければ、乗車券発行ユニット７において乗車券を発行する（ｓ９）。ｓ９では、発券する乗車券（磁気券）に対して、磁気データ記録部７１が乗車券情報を磁気データで記録するとともに、磁気券印字部７２が乗車券情報を印字する。この乗車券は、乗車券発券口７ａに放出される。利用者は、放出された乗車券を受け取る。
【００４３】
券売機１は、乗車券を発行すると、必要に応じて釣銭の放出や、カードの返却等を行い（ｓ１０）、本処理を終了する。
【００４４】
このように、この券売機１は、明細票発行部８で用紙切れが発生したときには、乗車券発行ユニット７で明細票を発行し、乗車券の販売を行うので、利用者の利便性を低下させることがない。
【００４５】
また、明細票発行部８で用紙切れが発生していないときには、明細票を明細票発行部８で発行する。すなわち、通常時は、明細票を磁気券ではなく、比較的コストの安い感熱紙や普通紙で発行するので、運用コストを無駄に増加させることもない。
【００４６】
また、明細票発行部８で用紙切れが発生したときには、その旨を係員等に通知するようにしてもよい。このようにすれば、係員が迅速に対応でき、磁気券での明細票の発行頻度が抑えられる。
【００４７】
次に、メンテナンスにかかる券売機１の動作について説明する。メンテナンスにかかる入力操作は、券売機１本体をメンテナンスモードに設定することにより、前面側操作部６で行える。また、係員操作部９では、券売機１本体のモード（運用モード、メンテナンスモード）に関係なく、メンテナンスにかかる入力操作が行える。図５は、メンテナンスにかかる入力操作を前面側操作部で行うときの、券売機の動作を示すフローチャートである。このとき、券売機１は、メンテナンスモードに設定されている。
【００４８】
係員は、前面側操作部６でメンテナンスにかかる入力操作を行う。券売機１は、前面側操作部６でのメンテナンスにかかる入力に応じて、乗車券の販売にかかる運用履歴や、発生した障害のログ等を処理結果として印字出力するかどうかを判定する（ｓ１１、ｓ１２）。券売機１は、ｓ１２で処理結果を印字出力する必要がないと判定すると、本処理を終了する。
【００４９】
券売機１は、ｓ１２で処理結果を印字出力する必要があると判定すると、明細票発行部８で用紙切れが発生しているかどうかを判定する（ｓ１３）。券売機１は、明細票発行部８で用紙切れが発生していないと判定すると、明細票発行部８において今回の処理結果を印字して出力し（ｓ１４）、本処理を終了する。
【００５０】
また、券売機１は、ｓ１３で、明細票発行部８で用紙切れが発生していると判定すると、背面側プリンタ１０で用紙切れが発生しているかどうかを判定する（ｓ１５）。券売機１は、背面側プリンタ１０で用紙切れが発生していないと判定すると、背面側プリンタ１０において今回の処理結果を印字して出力し（ｓ１６）、本処理を終了する。ｓ１６では、明細票発行部８で用紙切れが発生していること、および、処理結果を背面側プリンタ１０で印字して出力していることを表示器６ａに表示する。これにより、係員は、明細票発行部８で用紙切れが発生していること、および、今回のメンテナンスにかかる処理結果が背面側プリンタ１０で印字されたことを認識する。
【００５１】
また、券売機１は、ｓ１５で背面側プリンタ１０でも用紙切れが発生していると判定すると、エラー処理を行い（ｓ１７）、本処理を終了する。ｓ１７では、明細票発行部８、および背面側プリンタ１０の両方で用紙切れが発生していることを表示器６ａに表示する。これにより、係員は、明細票発行部８、および背面側プリンタ１０の両方で用紙切れが発生していることを認識する。
【００５２】
このように、この券売機１は、メンテナンスにかかる入力操作が前面側操作部６で行われたときには、通常明細票発行部８で処理結果を印字するが、この明細票発行部８で用紙切れが発生しているときには、背面側プリンタ１０で処理結果を印字する。したがって、明細票発行部８で用紙切れが発生しても、背面側プリンタ１０で用紙切れが発生していなければ、エラー処理されることなく、背面側プリンタ１０で処理結果が印字される。このため、メンテナンスにかかる係員の作業が煩雑になるのを防止できる。
【００５３】
なお、ｓ１５で、背面側プリンタ１０で用紙切れが発生していると判定したときに、乗車券発行ユニット７で磁気券の用紙切れが発生していなければ、乗車券発行ユニット７において今回のメンテナンスにかかる処理結果を磁気券に印字してもよい。ここでは、磁気券が比較的高価であることから、メンテナンスにかかる処理結果を印字しない構成にしている。
【００５４】
次に、メンテナンスにかかる入力操作が係員操作部９で行われたときの券売機１の動作について説明する。図６は、メンテナンスにかかる入力操作が係員操作部で行われたときの券売機の動作を示すフローチャートである。
【００５５】
係員は、係員操作部９でメンテナンスにかかる入力操作を行う。券売機１は、メンテナンスにかかる入力に応じて、乗車券の販売にかかる運用履歴や、発生した障害のログ等を処理結果として印字出力するかどうかを判定する（ｓ２１、ｓ２２）。券売機１は、ｓ２２で処理結果を印字出力する必要がないと判定すると、本処理を終了する。
【００５６】
券売機１は、ｓ２２で処理結果を印字出力する必要があると判定すると、背面側プリンタ１０で用紙切れが発生しているかどうかを判定する（ｓ２３）。券売機１は、背面側プリンタ１０で用紙切れが発生していないと判定すると、背面側プリンタ１０において今回の処理結果を印字して出力し（ｓ２４）、本処理を終了する。
【００５７】
また、券売機１は、ｓ２３で、背面側プリンタ１０で用紙切れが発生していると判定すると、エラー処理を行い（ｓ２５）、本処理を終了する。ｓ２５では、背面側プリンタ１０で用紙切れが生じていることを表示器９ａに表示する。これにより、係員は、背面側プリンタ１０で用紙切れが生じていることを認識する。
【００５８】
このように、この券売機１は、係員操作部９でメンテナンスにかかる入力操作が行われた場合は、メンテナンス結果を、券売機１本体前面側に位置する、乗車券発行ユニット７や、明細票発行部８等で印字出力しない。
【００５９】
なお、上記実施形態では、乗車券を販売する券売機を例にして本願発明を説明したが、本願発明は、乗車券以外の磁気券を発券する機器にも適用可能である。
【符号の説明】
【００６０】
１…券売機
２…制御部
３…硬貨処理ユニット
３ａ…投入硬貨受皿
３ｂ…放出硬貨受皿
４…紙幣処理ユニット
４ａ…紙幣投入口
４ｂ…紙幣放出口
５…カード処理ユニット
５ａ…カード挿入口
６…前面側操作部
６ａ…表示器
６ｂ…タッチパネル
７…乗車券発行ユニット
７１…磁気データ記録部
７２…磁気券印字部
７ａ…乗車券発券口
８…明細票発行部
８ａ…明細票発行口
９…係員操作部
９ａ…表示器
９ｂ…タッチパネル
１０…背面側プリンタ
【図１】
2011242918.tif 000003
【図２】
2011242918.tif 000004
【図３】
2011242918.tif 000005
【図４】
2011242918.tif 000006
【図５】
2011242918.tif 000007
【図６】
2011242918.tif 000008